(57)【特許請求の範囲】
【請求項１】
フイルム巻取り用のスプールを収納したカートリッジ本体と、前記スプールに一端を係止した規定長さの写真フイルムが予め組み込まれ、前記スプールに回転方向の一定の角度位置で連結された巻上げノブを撮影ごとに外部から回転操作することによって撮影済みの写真フイルムを前記スプールに巻き付けながらカートリッジ本体に巻き込むようにしたレンズ付きフイルムユニットにおいて、
写真フイルムの前記規定長さに対応した所定回転数だけ前記巻上げノブが回転したことを検知する回転検知手段と、この回転検知手段によって巻上げノブが前記所定回転数だけ回転したことが検知された後、巻上げノブが一定の回転位置に移動してきたことを検知して巻上げノブの回転をロックするロック手段とを設け、前記カートリッジ本体内に写真フイルムが他端まで完全に巻き込まれ、かつ前記スプールが一定の回転位置に達した時点で巻上げノブの回転操作を禁止するようにしたことを特徴とするレンズ付きフイルムユニット。
【請求項２】
前記カートリッジ本体は、スプールと一体に回転する表示板と、この表示板の回転方向に沿って設けられ、表示板を選択的に外部に露呈させることによって写真フイルムの未使用あるいは使用済みの表示を行う複数の表示開口とを有し、スプールが前記一定の回転位置で停止されることにより、カートリッジ本体は写真フイルムの使用済みを表示する状態になることを特徴とする請求項１記載のレンズ付きフイルムユニット。
【請求項３】
前記回転検知手段は、巻上げノブと同軸で一体に回転する間欠ギヤと、この間欠ギヤに間欠に噛合されて所定角度ずつ歩進されるカウンタギヤと、このカウンタギヤと同軸で一体に回転し外周面に検知用切欠が形成されたカム円板と、巻上げノブの近傍に揺動自在に設けられ、一端にカム円板の外周面に対面する検知用突起が形成されたタイミングレバーと、このタイミングレバーを付勢して検知用突起をカム円板の外周面に当接させる付勢手段とからなり、前記検知用切欠は、巻上げノブが所定回転数だけ回転された際にタイミングレバーに形成された検知用突起に対面し、付勢手段の付勢によって検知用突起と検知用切欠とが係合する際のタイミングレバーの揺動によって巻上げノブの所定回転数の回転を検知することを特徴とする請求項１又は２記載のレンズ付きフイルムユニット。
【請求項４】
前記付勢手段は、前記カートリッジ本体のフイルム出入り口の奥に組み込まれた遮光蓋の端部に連結して、フイルム出入り口を開放する開き位置と閉鎖する閉じ位置との間で遮光蓋を回動させる蓋閉じ部材と、この蓋閉じ部材を遮光蓋の閉じ位置に向けて付勢する付勢バネとからなり、該蓋閉じ部材は、遮光蓋の開き位置にある際に前記タイミングレバーに当接して検知用突起がカム円板の外周面に当接する方向に押圧し、検知用突起と検知用切欠との係合によってタイミングレバーが揺動した際に当接を解除して遮光蓋の閉じ位置に向けて回動することを特徴とする請求項３記載のレンズ付きフイルムユニット。
【請求項５】
前記蓋閉じ部材による遮光蓋の開き位置から閉じ位置に向けての回動に連動して、カートリッジ本体へのフイルムの巻き込みと遮光蓋の閉鎖とが完了したことを示唆するとともに、カートリッジ本体の取り出しを行うために工具が差し込まれる開口を形成する外部表示手段を設けたことを特徴とする請求項４記載のレンズ付きフイルムユニット。
【請求項６】
前記外部表示手段は、一端が蓋閉じ部材に当接し、他端に前記開口を塞ぐ蓋板が一体に形成され、上下方向に沿って移動自在とされた連動表示部材と、この連動表示部材を上方に向けて付勢するバネとからなり、該連動表示部材は、蓋閉じ部材が遮光蓋の開き位置にある際に、一端を蓋閉じ部材に当接させて他端の蓋板で開口を塞ぎ、蓋閉じ部材が遮光蓋の閉じ位置に向けて回動した際に、バネの付勢によって上方に移動して開口を露呈させることを特徴とする請求項５記載のレンズ付きフイルムユニット。
【請求項７】
前記ロック手段は、間欠ギヤの外周面に形成された被係止部と、タイミングレバーに一体に形成されて間欠ギヤの外周面に対面する係止部とからなり、この係止部はタイミングレバーの揺動によって一歯ギヤの外周面に当接し、巻上げノブが一定の回転位置に移動してきた際に被係止部に係合することを特徴とする請求項３ないし６いずれか記載のレンズ付きフイルムユニット。
【請求項８】
前記ロック手段は、巻上げノブの下面に外周に沿って一体に形成されたカム突条と、このカム突条の内壁面に形成された被係止部と、タイミングレバーに一体に形成されてカム突条の内壁面に対面する係止部とからなり、この係止部は、タイミングレバーの揺動によってカム突条の内壁面に当接し、巻上げノブが一定の回転位置に移動してきた際に被係止部に係合することを特徴とする請求項３ないし６いずれか記載のレンズ付きフイルムユニット。
【請求項９】
前記ロック手段は、巻上げノブの下面に外周に沿って一体に形成されたカム突条と、このカム突条の内壁面に形成された被係止部と、蓋閉じ部材に一体に形成され、この蓋閉じ部材が遮光蓋の閉じ位置に回動した際にカム突条の内壁面に当接する係止部とからなり、この係止部は、巻上げノブが一定の回転位置に移動してきた際に被係止部に係合することを特徴とする請求項４ないし６いずれか記載のレンズ付きフイルムユニット。
【請求項１０】
前記ロック手段は、一歯ギヤの外周面に形成された被係止部と、一歯ギヤの近傍に回動自在に設けられたロック部材と、蓋閉じ部材に一体に形成され、この蓋閉じ部材が遮光蓋の閉じ位置に回動された際にロック部材を押圧して回動させる押圧突起とからなり、該ロック部材は押圧突起に押圧されて回動し、巻上げノブが一定の回転位置に移動してきた際に被係止部に係合することを特徴とする請求項４ないし６いずれか記載のレンズ付きフイルムユニット。
【請求項１１】
フイルム巻取り用のスプールを収納したカートリッジ本体と、前記スプールに一端を係止した規定長さの写真フイルムが予め組み込まれ、前記スプールの端部に連結された巻上げノブを撮影ごとに外部から回転操作することによって撮影済みの写真フイルムを前記スプールに巻き付けながらカートリッジ本体に巻き込むようにしたレンズ付きフイルムユニットにおいて、
前記巻上げノブと同軸で一体に回転する間欠ギヤと、この間欠ギヤに間欠に噛合されて所定角度ずつ歩進されるカウンタギヤと、このカウンタギヤと同軸で一体に回転し外周面に検知用切欠が形成されたカム円板と、前記カートリッジ本体のフイルム出入り口の奥に組み込まれた遮光蓋の端部に連結して、フイルム出入り口を開放する開き位置と閉鎖する閉じ位置との間で遮光蓋を回動させる蓋閉じ部材と、この蓋閉じ部材を遮光蓋の閉じ位置に向けて付勢する付勢バネと、巻上げノブの近傍に揺動自在に配置され、一端にはカム円板の外周面に対面する検知用突起が、他端には蓋閉じ部材に係合して遮光蓋を開き位置で保持する保持突起が形成されたタイミングレバーとを設け、
前記検知用切欠と検知用突起は、巻上げノブが所定回転数だけ回転された際に対面して係合し、その際のタイミングレバーの揺動によって保持突起による蓋閉じ部材の保持が解除され、付勢バネの付勢により蓋閉じ部材が遮光蓋を閉じ位置に回動させることを特徴とするレンズ付きフイルムユニット。
【請求項１２】
前記蓋閉じ部材による遮光蓋の開き位置から閉じ位置に向けての回動に連動して、カートリッジ本体へのフイルムの巻き込みと遮光蓋の閉鎖とが完了したことを示唆するとともに、カートリッジ本体の取り出しを行うために工具が差し込まれる開口を形成する外部表示手段を設けたことを特徴とする請求項１１記載のレンズ付きフイルムユニット。
【請求項１３】
前記外部表示手段は、一端が蓋閉じ部材に当接し、他端に前記開口を塞ぐ蓋板が一体に形成され、上下方向に沿って移動自在とされた連動表示部材と、この連動表示部材を上方に向けて付勢するバネとからなり、該連動表示部材は、蓋閉じ部材が遮光蓋の開き位置にある際に、一端を蓋閉じ部材に当接させて他端の蓋板で開口を塞ぎ、蓋閉じ部材が遮光蓋の閉じ位置に向けて回動した際に、バネの付勢によって上方に移動して開口を露呈させることを特徴とする請求項１２記載のレンズ付きフイルムユニット。
【発明の詳細な説明】
【０００１】
【発明の属する技術分野】
本発明は、レンズ付きフイルムユニットに関し、更に詳しくは、フイルムカートリッジの取出し時の状態が一定となるレンズ付きフイルムユニットに関するものである。
【０００２】
【従来の技術】
予め写真フイルムが装填され、簡単な撮影機構を備えたレンズ付きフイルムユニットが各種販売されている。前記写真フイルムは、一端がパトローネ内に回転自在に収納されたスプールに係止された状態でレンズ付きフイルムユニットに装填されており、撮影ごとにスプールに連結され外部に露呈された巻上げノブを回転操作し、撮影済みの写真フイルムをパトローネ内に巻き込む。これにより、明室内でレンズ付きフイルムユニットから写真フイルムパトローネの取り出しが行えるようになる。また、このようなレンズ付きフイルムユニットの中には、プラスチック製のカートリッジ本体に写真フイルムを収納し、未使用時に写真フイルムを全てカートリッジ本体内に収納しておくことにより、カメラへのフイルム装填を簡単にしたフイルムカートリッジが装填されているものがある。
【０００３】
上記フイルムカートリッジは、写真フイルムが出入りするフイルム出入り口の遮光に、フイルム出入り口の奥に回動自在に組み込まれた棒状の遮光蓋を用いている。また、カートリッジ本体の一方の端面に、形状の異なる４個の表示開口と、これらの表示開口の背後でスプールと一体に回転する表示板とを有している。各表示開口には、それぞれ「未使用」，「撮影途中」，「撮影済み」，「現像済み」という意味が与えられており、表示板が露呈されている表示開口に与えられている意味が収納している写真フイルムの使用状態を示す。
【０００４】
【発明が解決しようとする課題】
レンズ付きフイルムユニットは、撮影終了後にそのまま現像取扱店に渡して同時プリントの依頼を行うようになっている。そのため、レンズ付きフイルムユニットからのフイルムカートリッジの取り出しは現像所で行われる。現像所では、レンズ付きフイルムユニットからフイルムカートリッジを取り出す前に、必ず巻上げノブを回転操作している。これは、レンズ付きフイルムユニットの外観から写真フイルムが全てカートリッジ本体内に巻き込まれているか否かを判断することができないためであり、作業効率を悪化させていた。
【０００５】
また、フイルムカートリッジを用いるカメラでは、スプールの回転位置を光電センサー等で検出しておき、カメラからのフイルムカートリッジの取り出し時には、表示板を「撮影済み」を表す表示開口の背後で停止させるようにしている。これは、取り出された後のフイルムカートリッジの誤装填を防止するためである。しかしながら、レンズ付きフイルムユニットにはコストや組み込みスペース等の問題からそのような機構が設けられておらず、レンズ付きフイルムユニットから取り出されたフイルムカートリッジの表示板の位置は特定されない。そのため、例えばユーザーがレンズ付きフイルムユニットからフイルムカートリッジを取り出してしまい、取り出したフイルムカートリッジの表示板が「未使用」を表す表示開口の背後に停止している場合、未使用品と誤ってカメラに装填してしまうことも考えられる。
【０００６】
本発明は、上記問題点を解決するためのもので、カートリッジ本体内に写真フイルムが全て巻き込まれていることを簡単に確認でき、更に、必ず「撮影済み」を表す状態でフイルムカートリッジを取り出せるレンズ付きフイルムユニットを提供することを目的とする。
【０００７】
【課題を解決するための手段】
上記問題点を解決するために、本発明のレンズ付きフイルムユニットは、写真フイルムの規定長さに対応した所定回転数だけ巻上げノブが回転したことを検知する回転検知手段と、この回転検知手段によって巻上げノブが前記所定回転数だけ回転したことが検知された後、巻上げノブが一定の回転位置に移動してきたことを検知して巻上げノブの回転をロックするロック手段とを設け、カートリッジ本体内に写真フイルムが他端まで完全に巻き込まれ、かつスプールが一定の回転位置に達した時点で巻上げノブの回転操作を禁止するようにしたものである。また、巻上げノブと同軸で一体に回転する間欠ギヤと、この間欠ギヤに間欠に噛合されて所定角度ずつ歩進されるカウンタギヤと、このカウンタギヤと同軸で一体に回転し外周面に検知用切欠が形成されたカム円板と、カートリッジ本体のフイルム出入り口の奥に組み込まれた遮光蓋の端部に連結して、フイルム出入り口を開放する開き位置と閉鎖する閉じ位置との間で遮光蓋を回動させる蓋閉じ部材と、この蓋閉じ部材を遮光蓋の閉じ位置に向けて付勢する付勢バネと、巻上げノブの近傍に揺動自在に配置され、一端にはカム円板の外周面に対面する検知用突起が、他端には蓋閉じ部材に係合して遮光蓋を開き位置で保持する保持突起が形成されたタイミングレバーとを設け、巻上げノブが所定回転数だけ回転された際にカートリッジ本体の遮光蓋が閉じられるようにした構成でも、本発明の目的を達成することができる。
【０００８】
【発明の実施の形態】
以下、添付した図面に従って、本発明の第１の実施の形態について説明する。図２に示すように、レンズ付きフイルムユニット２は、予めフイルムカートリッジが装填され、各種撮影機構が組み込まれたユニット本体３と、このユニット本体３を部分的に覆うラベル４とから構成されている。
【０００９】
ユニット本体３の上面には、シャッタボタン５，残り撮影可能枚数を表示するカウンタ窓６，写真フイルムが全て巻き上げ済みであることを知らせる巻上げ完了表示窓７が、前面にはファインダ８，撮影レンズ９等が設けられている。また、背面側からは１コマの撮影毎に回転操作される巻上げノブ１０が露呈されている。ラベル４は、ユニット本体３の中央部分に巻かれるように貼付され、撮影レンズ９やファインダ８，カウンタ窓６等を外部に露呈させる開口が形成されている。
【００１０】
図３に示すように、ユニット本体３は、未露光の写真フイルム１２と略円柱形状のカートリッジ本体１３とからなるフイルムカートリッジ１４が装填される本体部１５と、この本体部１５の前面に組み付けられる露光ユニット１６と、本体部１５の前面側及び背面側を覆うように組み付けられる前カバー１７及び後カバー１８とから構成されており、これらは爪係合によって組み立てられる。
【００１１】
本体部１５の中央部には、前面側に組み付けられた露光ユニット１６から写真フイルム１２までの間の撮影光路を遮光する遮光筒２０が設けられている。この遮光筒２０の前面側には露光開口２０ａが形成されており、背面側には写真フイルム１２への露光範囲を規定するアパーチャーが形成されている。後カバー１８には、アパーチャーに対面するフイルム支持面１８ａが形成されている。遮光筒２０を挟む両側には、カートリッジ本体１３とロール状に巻かれた写真フイルム１２とが、それぞれ製造段階で収納されるカートリッジ室２１とフイルムロール室２２とが一体に形成されている。
【００１２】
カートリッジ室２１及びフイルムロール室２２は、本体部１５の背面側に後カバー１８が組み付けられ、後カバー１８に一体に形成されたカートリッジ室用の底蓋２４と、フイルムロール室用の底蓋２５とが閉じられることにより適正な遮光能が得られる。なお、底蓋２４，２５は、後カバー１８に対して屈曲自在な薄肉部を介して連結されており、底蓋２４は、使用後のレンズ付きフイルムユニット２からフイルムカートリッジ１４を取り出す際に開放される。
【００１３】
前カバー１７は、本体部１５の前面，上面，側面を覆うように本体部１５の前面に取り付けられる。この前カバー１７には、シャッタボタン５や巻上げ完了表示窓７等が形成されている。写真フイルム１２は、１コマの撮影画面１２ａのフイルム給送方向の先頭側と後部側とに、大小のパーフォレーション１２ｂ，１２ｃが１個ずつ設けられている。
【００１４】
図４に示すように、露光ユニット１６は、遮光筒２０の前面に着脱自在に組み付けられるベース部材２７に各種部品が組み付けられてユニット化されたものとなっている。ベース部材２７の上面には、シャッタ機構を構成する複数の部品が組み付けられるとともに、ファインダ８を構成する対物レンズ２８ａ，接眼レンズ２８ｂが保持されている。ベース部材２７の前面には撮影レンズ９を保持するレンズカバー２９が組み付けられており、このレンズカバー２９とベース部材２７との間には、シャッタ羽根が揺動自在に組み付けられている。
【００１５】
ベース部２７の上面には、軸３１，３２，軸受け部３３が形成されている。軸３１には、シャッタ駆動レバー３４，レリーズバネ３５，カウンタ板３６が順に挿入される。軸３２には、ロックバネ３７，係止レバー３８が順に挿入される。軸受け部３３には、カム部材３９が挿入される。
【００１６】
軸受け部３３は下方まで穴が貫通されており、挿入されたカム部材３９の軸部３９ａは下方から突出される。突出された軸部３９ａにはスプロケット４１が係合され、スプロケット４１は遮光筒２０の上部の開口２０ｂから写真フイルム１２に向けて露呈される。スプロケット４１の外周には、大小の歯４１ａ，４１ｂが回転対称で２対設けられている。これらの歯４１ａ，４１ｂは、写真フイルム１２のパーフォレーション１２ｂ，１２ｃに噛合し、１コマ分の写真フイルム１２がカートリッジ本体１３内に巻き上げられる際のフイルム移送に従動して、図中反時計方向に半回転する。
【００１７】
カム部材３９は、上方から順に、二歯ギヤ３９ｂ，巻止めカム３９ｃ，チャージカム３９ｄ，付勢カム３９ｅ，そして軸部３９ａが一体に形成されたものとなっている。二歯ギヤ３９ｂは、カウンタ板３６の外周に形成された歯３６ａに噛合する。カウンタ板３６の上面には撮影可能枚数を表す目盛りが記されており、二歯ギヤ３９ｂは半回転でカウンタ板３６を一目盛り分だけ歩進させる。
【００１８】
巻止めカム３９ｃは、外周に回転対称に配置された一対の溝３９ｆが設けられており、半回転するごと、すなわち写真フイルム１２の１コマ分の移送が終了するたびに係止レバー３８の巻止め爪３８ａが係合する。チャージカム３９ｄは、回転対称で形成された一対の羽根形状の突起からなり、回転中にシャッタ駆動レバー３４の一部を押圧して、シャッタ駆動レバー３４がシャッタチャージされる方向に回動させる。
【００１９】
付勢カム３９ｅは、１８０°の回転対称で形成された一対の突起からなり、ベース部材２７の上面に組み付けられた板バネ４３によって押圧される。写真フイルム１２にはパーフォレーション１２ｂ，１２ｃが連続的に設けられていないことから、スプロケット４１の歯４１ａ，４１ｂがパーフォレーション１２ｂ，１２ｃのいずれとも噛合されない状態が発生してしまう。この状態のときに付勢カム３９ｅが板バネ４３によって押圧し、カム部材３９を従動方向に回動させる。これにより、スプロケット４１の歯４１ｂは、次のパーフォレーション１２ｃに噛合可能な位置まで移動される。なお、板バネ４３は、金属薄板を屈曲させた板バネとなっている。
【００２０】
シャッタ駆動レバー３４は、図中時計方向のチャージ位置と反時計方向のレリーズ完了位置との間で回動自在とされており、レリーズバネ３５によってレリーズ完了位置に向けて付勢されている。シャッタ駆動レバー３４には、チャージ位置に向けて回動するようにチャージカム３９ｄに押圧される被押圧部３４ａと、チャージ位置にある際に係止レバー３８に係止される立ち上がり片３４ｂと、チャージ位置からレリーズ完了位置に回動する際にシャッタ羽根を蹴飛ばして揺動させる蹴飛ばしアーム３４ｃとが一体に形成されている。
【００２１】
係止レバー３８は、チャージ位置にあるシャッタ駆動レバー３４に係合して保持するとともに、巻上げノブ１０とカム部材３９との回転をロックする時計方向の巻止め位置と、シャッタ駆動レバー３４のチャージ位置での保持を解除するとともに、巻上げノブ１０とカム部材３９とのロックを解除する反時計方向の巻止め解除位置との間で回動自在となっており、ロックバネ３７によって巻止め位置に向けて付勢されている。
【００２２】
係止レバー３８には、シャッタ駆動レバー３４の立ち上がり片３４ｂに係合する立ち下がり片３８ｂと、前カバー１７のシャッタボタン５に一体に形成された押圧ロッド５ａによって巻止め解除位置に向けて押圧される立ち下がりロッド３８ｃと、巻上げノブ１０の外周の歯列１０ａ（図１参照）に噛合して回転をロックするロック爪３８ｄと、前述した巻止め爪３８ａとが一体に形成されている。
【００２３】
また係止レバー３８には、全ての写真フイルム１２への撮影が終了し、スプロケット４１の歯４１ａ，４１ｂと写真フイルム１２のパーフォレーション１２ｂ，１２ｃとの噛合が外れた後に、カウンタ板３６の下面に一体に形成されたカム３６ｂが当接する立ち上がり突起３８ｅが一体に形成されている。カム３６ｂが立ち上がり突起３８ｅに当接すると、カウンタ板３６はそれ以上の回転が阻止されることになり、このカウンタ板３６に噛合した二歯ギヤ３９ｂ、すなわちカム部材３９も回転できなくなる。これにより、これ以後はシャッタチャージが行われなくなり、係止レバー３８は巻止め位置に回動しなくなるので、巻上げノブ１０は回転が自由となる。
【００２４】
ベース部材２７の上部には天板４５が組み付けられる。この天板４５は、穴４５ａで軸３１の上端を支持し、切欠４５ｂでカム部材３９の上端を支持する。また天板４５は全体が透明なプラスチックで形成されており、符号４６はカウンタ板３６の上面に記された目盛りを拡大表示するレンズとなっている。
【００２５】
図５に示すように、フイルムカートリッジ１４は、略円柱形状のカートリッジ本体１３と、このカートリッジ本体１３内に収納される写真フイルム１２と、カートリッジ本体１３の外周面に貼着されるラベル４７とから構成されている。カートリッジ本体１３は、プラスチックで形成された第１ケース４８，第２ケース４９が組み合わされた中に、各種構成部品が組み込まれたものとなる。
【００２６】
カートリッジ本体１３内にはスプール５１が回転自在に収納され、このスプール５１に写真フイルム１２の一端が係止される。また、スプール５１の両端には、駆動軸、例えば巻上げノブ１０が係合される係合穴５１ａが形成されており、第１，第２ケース４８，４９の端面から外部に露呈される。この係合穴５１ａ内には、キー溝５１ｂが形成されている（図６参照）。
【００２７】
第１，第２ケース４８，４９の合わせ目には、カートリッジ本体１３から写真フイルム１２を出入りさせるためのフイルム出入り口５２が形成されており、このフイルム出入り口５２の奥には、外部から駆動されて回動することによりフイルム出入り口５２を開閉する遮光蓋５３が組み込まれている。この遮光蓋５３の両端には、遮光蓋５３を回動させる駆動軸が係合する係合部５３ａが形成されており、スプール５１と同様に第１，第２ケース４８，４９の両端部から外部に露呈される。
【００２８】
第２ケース４９のフイルム出入り口５２の奥には、突起５４が形成されている。この突起５４は、スプール５１に巻かれた写真フイルム１２の先端部をすくい上げてフイルム出入り口５２に導く。
【００２９】
スプール５１の両端部には、ディスク５６，５７が開口５６ａ，５７ａを利用して回転自在に嵌め込まれる。これらのディスク５６，５７の外周には、リップ５６ｂ，５７ｂがそれぞれ向き合うように突出し、スプール５１に巻かれた写真フイルム１２の最外周を両端面側から部分的に包み込み、カートリッジ本体１３内での巻き緩みを防止する。これにより、スプール５１が図中時計方向であるフイルム送出し方向に回転すると、写真フイルム１２はスプール５１と一緒に回転し、この回転途中で写真フイルム１２の先端が突起５４に導かれてフイルム出入り口５２から外部に送り出される。
【００３０】
スプール５１の端部でディスク５６の外側には、ロック部材５９が取り付けられる。このロック部材５９には、表示板６０と、ロックギヤ５９ａとが一体に形成されており、スプール５１と一体に回転する。符号６２は、スプール５１をロックするロックレバーである。ロックレバー６２は、遮光蓋５３が閉じ位置に回動したときに遮光蓋５３に一体に形成されたカムによって押圧され、ロック部材５９のロックギヤ５９ａに噛合してスプール５１の回転をロックする。このロックレバー６２によるスプール５１のロックは、遮光蓋５３が開き位置に回動したときに解除される。
【００３１】
スプール５１の他方の端部には、扇形に切り欠かれたデータ板６４が一体に形成されており、その表面には放射状にバーコードが記されたデータラベル６５が貼着される。このデータラベル６５に記されたバーコードは、収納した写真フイルム１２の感度，撮影枚数等を示すもので、カメラ等の機器に装填された時に、機器内の装置で読み取られる。
【００３２】
図６に示すように、表示板６０が配置される側のカートリッジ本体１３の端面には、形状の異なる４個の表示開口６７ａ，６７ｂ，６７ｃ，６７ｄが形成されている。各表示開口６７ａ〜６７ｄには、それぞれ写真フイルム１２の使用状態を表す「未使用」，「撮影途中」，「撮影済み」，「現像済み」という意味が与えられている。前述の表示板６０は、カートリッジ本体１３内で表示開口６７ａ〜６７ｄの背後をスプール５１と一体に回転し、いずれかの表示開口の背後で停止される。そして、表示板６０が見えている表示開口に与えられている意味が、カートリッジ本体１３内に収納されている写真フイルム１２の状態を示すものとなる。なお、表示板６０が表示開口６７ｃの背後にあるときの係合穴５１ａのキー溝５１ｂの向きは、カートリッジ本体１３の基準線Ｌに対してθの角度となる。
【００３３】
図１及び図７に示すように、カートリッジ室２１の上面６９の中央には軸受け部７０が形成されており、この軸受け部７０には巻上げノブ１０が回転自在に取り付けられる。巻上げノブ１０の外周面にはギヤ１０ａが形成されており、回転操作（図中反時計方向）する際の指掛りがしやすくなっている。このギヤ１０ａには、前述の係止レバー３８の巻止め爪３８ａとともに、巻上げノブ１０の逆方向（図中時計方向）への回転を阻止する逆止爪７１が噛合する。この逆止爪７１は、カートリッジ室２１の上面６９上に形成されている。
【００３４】
巻上げノブ１０の下面には、写真フイルム１２が全てカートリッジ本体１３内に巻き上げられるだけ巻上げノブ１０が回転されたことを検知する回転検知手段と、この回転検知手段の検知後に巻上げノブ１０の一定の位置を検知して、その回転をロックするロック手段とを構成する間欠ギヤである一歯ギヤ７３が一体に設けられている。この一歯ギヤ７３の外周面７３ａには、巻上げノブ１０の回転中心軸から放射状に突設された噛合突起７４と、被係止部であるロック用切欠７５とが形成されている。一歯ギヤ７３の下面には、スプール５１の係合穴５１ａに係合する係合軸７６が一体に形成されている。なお、巻上げノブ１０の一定の位置とは、例えば、フイルムカートリッジ１４の表示板６０が、「撮影済み」を表す表示開口６７ｃの背後にある際の巻上げノブ１０の位置となっている。
【００３５】
また、カートリッジ室２１の上面６９には多数のピンが立設されており、これらのうちの２本には、回転検知手段を構成する減速ギヤ７８とカウンタギヤ７９とが回転自在に取り付けられる。減速ギヤ７８は、小径の上ギヤ７８ａと大径の下ギヤ７８ｂとからなり、下ギヤ７８ｂは一歯ギヤ７３の噛合突起７４に間欠に噛合されて所定角度（一歯分）ずつ歩進される。上ギヤ７８ａは、巻上げノブ１０の回転数をカウントするカウンタギヤ７９に噛合する。カウンタギヤ７９は、全ての写真フイルム１２が巻き上げられた後に誤って回転しないように、カウント終了後に減速ギヤ７８に対面する部分には歯が形成されていない。
【００３６】
カウンタギヤ７９の上面の所定の位置には、前カバー１７と異なる色で印刷が施されたマーク７９ａが設けられている。このマーク７９ａは、写真フイルム１２が全てカートリッジ本体１３内に巻き込まれる所定回転数の回転が巻上げノブ１０で行われたときに、前カバー１７の巻上げ完了表示窓７の下方に移動して外部から視認できるようになる。符合８０は、カートリッジ室２１の上面に取り付けられた板バネであり、下ギヤ７８ｂに噛合して震動や衝撃等による減速ギヤ７８及びカウンタギヤ７９の誤回転を防止している。
【００３７】
なお、巻上げノブ１０の回転数を直接カウンタギヤ７９でカウントしてもよいが、最多のコマ数の写真フイルム１２（例えば４０枚撮り）を全てカートリッジ本体１３内に巻き上げる場合には、スプール５１をおよそ４５回転させなければならず、カウンタギヤ７９が１回転以上してしまうという問題がある。また、これだけの回転数をカウンタギヤ７９の１回転以内でカウントするには、インボリュート歯形を用いる場合にピッチ円直径が１２〜１５ｍｍも必要となり、カートリッジ室２１の上面６９に組み込むことができなくなる。そのため、本発明では、一歯ギヤ７３とカウンタギヤ７９との間に減速ギヤ７８を組み込んでいる。
【００３８】
カウンタギヤ７９の下面には、外周面８２ａに検知用切欠８３が設けられたカム円板８２が一体に形成されている。また、上面６９の別のピンには、一歯ギヤ７３の外周面７３ａに対面する係止部であるロック用突起８５と、カム円板８２の外周面８２ａに対面する検知用突起８６とが一体に形成されたタイミングレバー８４が揺動自在に取り付けられる。このタイミングレバー８４は、捩じりバネ８７によって図中時計方向に付勢され、検知用突起８６がカム円板８２の外周面８２ａに当接する。なお、一歯ギヤ７３の噛合突起７４は下方に設けられており、ロック用突起８５は外周面７３ａの上部側に対面するようになっているので、噛合突起７４とロック用突起８５とが干渉することはない。
【００３９】
図８に示すように、巻上げノブ１０の所定回転数の回転が終了し、マーク７９ａが巻上げ完了表示窓７の下方に移動すると、検知用切欠８３は検知用突起８６に対面する。これにより、タイミングレバー８４が僅かに揺動し、ロック用突起８５が一歯ギヤ７３の外周面７３ａに当接する。この状態で更に巻上げノブ１０が回転されると、その１回転以内でロック用切欠７５がロック用突起８５に対面する。このロック用切欠７５は、フイルムカートリッジ１４の表示板６０が「撮影済み」を表す表示開口６７ｃの背後にあるとき、すなわちスプール５１の係合穴５１ａの角度がθとなっているときにロック用突起８５に対面する。これにより、表示板６０が「撮影済み」を表す表示開口６７ｃの背後にある状態で巻上げノブ１０の回転がロックされる。
【００４０】
カートリッジ室２１には、巻上げノブ１０や回転検知手段，ロック手段の他に、遮光蓋５３を閉じ位置に向けて回動するための蓋閉じ部材８８，付勢バネ８９，連結棒９０が取り付けられる。蓋閉じ部材８８は、上面６９に形成された軸受け穴６９ａに回動自在に挿入され、カートリッジ本体１３の遮光蓋５３の係合部５３ａに係合する係合軸９１と、この係合軸９１の上方に一体に形成され、付勢バネ８９が掛けられて遮光蓋５３の閉じ位置に向けて付勢される係止レバー９２とからなる。
【００４１】
連結棒９０は、底蓋２４の開放動作と蓋閉じ部材８８の遮光蓋５３の閉じ位置への回動とを連動させるためのもので、上端にカギ形状の係止部９０ａが形成され、下端に被係合爪９０ｂが形成されており、係止部９０ａがカートリッジ室２１の上面６９よりも僅かに上方に突出するように、カートリッジ室２１と遮光筒２０との間に形成されたレール部９３内に上下方向でスライド自在に組み込まれる。係止部９０ａは係止レバー９２に係合し、付勢バネ８９の付勢に抗して蓋閉じ部材８８を遮光蓋５３の開き位置で保持する。また、被係合爪９０ｂは、底蓋２４の内面に突設された係合爪９４に係合する。
【００４２】
底蓋２４は、レンズ付きフイルムユニット２からフイルムカートリッジ１４を取り出す際に開放されるが、その際に係合爪９４が被係合爪９０ｂを引っ張って連結棒９０を下方にスライドさせる。これにより、係止部９０ａと係止レバー９２との係合が解除され、蓋閉じ部材８８は付勢バネ８９の付勢によって遮光蓋５３の閉じ位置に向けて回動される。同様に、駆動軸９１に係合された遮光蓋５３も閉じ位置に回動されるので、明室内でフイルムカートリッジ１４の取り出しを行うことができる。
【００４３】
なお、遮光蓋５３の閉じ位置に向けて回動された蓋閉じ部材８８は、逆止爪７１の根元に係止レバー９２が当接して停止されるので、遮光蓋５３に必要以上に負荷がかかって破損するようなことはない。
【００４４】
次に上記実施形態の作用について説明する。レンズ付きフイルムユニット２の組立て工程では、暗室でフイルムカートリッジ１４を装填する作業がある。この作業は、カートリッジ本体１３から未露光の写真フイルム１２を引き出してフイルムロールを作成し、カートリッジ本体１３をカートリッジ室２１に軸方向から装填した後に、フイルムロールをフイルムロール室２２に背面側から装填している。このときのカートリッジ本体１３からの引出し量は管理されており、この引出し量はフイルム後端部の最初のコマを露光開口２０ａにセットする分だけ引き出した後に、さらに１コマ分の長さだけ引き出す。このように工場で未露光の写真フイルム１２の引出し量を管理することで、フイルムロール室２２に収納された写真フイルム１２をカートリッジ本体１３の内部に全部巻き込むための巻上げノブ１０の所定回転数を一定にすることができる。
【００４５】
各部品が組み込まれ、フイルムカートリッジ１４が装填されたレンズ付きフイルムユニット２は各種検査を経て包装され、出荷される。このレンズ付きフイルムユニット２では、全てのコマへの撮影終了後にロックが掛かるまで巻上げノブ１０の回転を続けてもらうための説明が、例えば包装袋やラベル４に記されている。
【００４６】
使用前のレンズ付きフイルムユニット２のカートリッジ室２１の上面６９は、図７に示すように、カム円板８２の外周面８２ａにタイミングレバー８４の検知用突起８５が当接している。また、蓋閉じ部材８８は、連結棒９０に係合されて遮光蓋５３の開き位置に保持されている。カウンタギヤ７９のマーク７９ａは、全ての写真フイルム１２がカートリッジ本体１３内に巻き上げられた際に、巻上げ完了表示窓７の下方に配置されるように設けられている。
【００４７】
図４に示す露光ユニット１６のシャッタ機構がシャッタチャージされている状態では、係止レバー３８はロックバネ３７の付勢によって巻止め位置に回動しており、ロック爪３８ｄと巻止め爪３８ａとが巻上げノブ１０と巻止めカム３９ｃとに係合してその回転をロックしている。また、係止レバー３８は、立ち下がり片３８ｂがチャージ位置にあるシャッタ駆動レバー３４の立ち上がり片３４ｂに係合して、レリーズバネ３５の付勢に抗してシャッタ駆動レバー３４をチャージ位置で保持している。
【００４８】
ファインダ８で撮影範囲を確認しシャッタボタン５を押下すると、押圧ロッド５ａ（図３参照）が移動して係止レバー３８の立ち下がりロッド３８ｃを押圧する。係止レバー３８は、立ち下がり片３８ｂによってシャッタ駆動レバー３４の立ち上がり突起３４ｂを係止したままロックバネ３７の付勢に抗して巻止め解除位置に向けて回動される。
【００４９】
係止レバー３８が更に巻止め解除位置に向けて回動されると、立ち下がり片３８ｂとシャッタ駆動レバー３４の立ち上がり片３４ｂとの係合が外れる。チャージ位置での係止が解除されたシャッタ駆動レバー３４は、レリーズバネ３５の付勢によってレリーズ完了位置である図中反時計方向に向けて回動する。レリーズ完了位置に向けて回動したシャッタ駆動レバー３４は、ベース部材２７とレンズカバー２９との間に組み込まれたシャッタ羽根を蹴飛ばしアーム３４ｃで蹴飛ばして揺動させる。シャッタ羽根は、バネによって露光開口を塞ぐ方向に付勢されているので露光開口はすぐに閉じられる。
【００５０】
再びシャッタ機構をシャッタチャージ状態とするために、巻上げノブ１０を図中反時計方向であるフイルム巻上げ方向に回転操作すると、巻上げノブ１０に係合されたスプール５１が回転し、１コマ分の露光済みの写真フイルム１２がカートリッジ本体１３内に巻き上げられる。
【００５１】
写真フイルム１２の移動と板バネ４３の付勢とにより、スプロケット４１とカム部材３９とは反時計方向に半回転される。この半回転の間にチャージカム３９ｄはシャッタ駆動レバー３４の一端３４ａを押圧し、レリーズバネ３５の付勢に抗してチャージ位置に向けて回動させる。また、カム部材３９の二歯ギヤ３９ｂは、半回転でカウンタ板３６を一目盛り分歩進させる。
【００５２】
係止レバー３８は、ロックバネ３７の付勢によって巻止め位置に向けて回動しようとするが、巻止め爪３８ａが巻止めカム３９ｃの外周面に当接するため、巻止め位置までは回動されない。カム部材３９の半回転によって巻止めカム３９ｃの溝３９ｆが巻止め爪３８ａに対面すると、ロックバネ３７の付勢によって係止レバー３８は巻止め位置に向けて回動し、巻止め爪３８ａを溝３９ｆに係合させてカム部材３９の回転をロックする。ロック爪３８ｄも巻上げノブ１０の歯列１０ａに係合するので巻上げノブ１０の回転もロックされる。
【００５３】
また、係止レバー３８は、チャージ位置にあるシャッタ駆動レバー３４の立ち上がり片３４ｂに立ち下がり片３８ｂを係合させ、シャッタ駆動レバー３４をチャージ位置で保持する。これにより、露光ユニット１６のシャッタ機構は、再びシャッタチャージがなされた状態となり、レンズ付きフイルムユニット２の撮影準備が完了する。
【００５４】
また、巻上げノブ１０がフイルム巻上げ方向に回転操作されると、図７に示すように、下面に形成された一歯ギヤ７３の噛合突起７４が減速ギヤ７８の下ギヤ７８ｂに噛合し、減速ギヤ７８は板バネ８０の噛合に抗して図中時計方向に一歯分歩進される。この減速ギヤ７８の回転は、上ギヤ７８ａによってカウンタギヤ７９に伝達され、カウンタギヤ７９は図中反時計方向に所定角度歩進される。そして、１コマ分の写真フイルム１２がカートリッジ本体１３内に巻き上げられた時点で、巻上げノブ１０の歯列１０ａに係止レバー３８のロック爪３８ｂが係合して再びロックされる。
【００５５】
なお、巻上げノブ１０の回転中に、一歯ギヤ７３のロック用切欠７５がタイミングレバー８４のロック用突起８５に対面するが、検知用突起８６がカム円板８２に当接しているので、タイミングレバー８４が揺動することはない。
【００５６】
最後のコマへの撮影が終了した後に巻上げノブ１０を回転操作して、スプロケット４１の歯４１ａ，４１ｂと写真フイルム１２のパーフォレーション１２ｂ，１２ｃとの噛合が外れると、図４に示すカウンタ板３６のカム３６ｂが係止レバー３８の立ち上がり突起３８ｅに当接する。これにより、カウンタ板３６と、これに噛合するカム部材３９とが回転しなくなるので、係止レバー３８は巻止め位置に回動しなくなり、巻上げノブ１０の回転が自由となる。
【００５７】
ユーザーが包装袋やラベル４の説明にしたがって巻上げノブ１０の回転操作を行うと、一歯ギヤ７３，減速ギヤ７８，カウンタギヤ７９を介して図中反時計方向に回転されたカム円板８２は、検知用切欠８３をタイミングレバー８４の検知用突起８６に対面させる。これにより、タイミングレバー８４が捩じりバネ８７の付勢によって僅かに揺動し、ロック用突起８５を一歯ギヤ７３の外周面に当接させる。
【００５８】
その後の巻上げノブ１０の１回転以内で、一歯ギヤ７３のロック用切欠７５がロック用突起８５に対面する。これにより、検知用突起８６とロック用突起８５とが、検知用切欠８３とロック用切欠７５とに係合し、巻上げノブ１０の回転がロックされる。また、カウンタギヤ７９のマーク７９ａは、巻上げ完了表示窓７の下方に停止する。この巻上げ完了表示窓７によって、フイルム巻き上げが完了したことを外部から容易に確認できる。
【００５９】
使用後のレンズ付きフイルムユニット２は、そのまま現像所に提出される。現像所では、巻上げ完了表示窓７を確認することにより、写真フイルム１２が全て巻き上げ済みであるか否かがすぐに判断することができ、巻き上げが完了している場合には、そのレンズ付きフイルムユニット２をフイルムカートリッジ１４の取出し工程に送り、巻き上げが完了していない場合には、巻上げノブ１０にロックがかかるまで回転操作してからフイルムカートリッジ１４の取出し工程に送る。
【００６０】
フイルムカートリッジ１４の取出し工程では、始めに底蓋２４が僅かに開放される。この底蓋２４の開放に連動して連結棒９０が下方にスライドされ、連結棒９０と蓋閉じ部材８８との係合が解除される。蓋閉じ部材８８は、付勢バネ８９の付勢によって遮光蓋５３の閉じ位置に向けて回動され、蓋閉じ部材８８に係合された遮光蓋５３も閉じ位置に回動される。遮光蓋５３が閉じ位置に回動すると、この遮光蓋５３に押圧されたロックレバー６２がロック部材５９のロックギヤ５９ａに噛合して、スプール５１をロックする。
【００６１】
遮光蓋５３が閉じられているフイルムカートリッジ１４は、明室内でレンズ付きフイルムユニット２から取り出すことができる。取り出されたフイルムカートリッジ１４は、ロック用突起８５がロック用切欠７５に係合している際にはスプール５１の回転がロックされているので、使用状態の表示は確実に「撮影済み」となっており、ユーザーがフイルムカートリッジ１４を取り出した場合の誤装填を防止できる。
【００６２】
取り出したフイルムカートリッジ１４からは、写真フイルム１２が引き出され、現像処理とプリント処理とが施される。現像済みの写真フイルム１２は、元のカートリッジ本体１３に巻き戻され、このカートリッジ本体１３は表示板６０が「現像済み」を表す表示開口６７ｄの背後に停止された状態でプリント写真とともにユーザーに返却される。
【００６３】
次に、本発明の第２の実施の形態について説明する。なお、第１の実施形態と同じ部品については同符合を用い、説明を省略する。図９及び図１０に示すように、カートリッジ室２１の上面６９には、巻上げノブ１０，減速ギヤ７８，カウンタギヤ７９，板バネ８０，タイミングレバー９５，蓋閉じ部材９６，付勢バネ８９が組み付けられる。また、カートリッジ室２１の前面側のレール部９３には、カートリッジ本体１３への写真フイルム１２の巻き上げと、遮光蓋５３の閉鎖とが終了したことを外部に表示する外部表示手段である連動表示部材９７と、コイルバネ９８とが組み込まれている。
【００６４】
巻上げノブ１０の下面には、写真フイルム１２が全てカートリッジ本体１３内に巻き上げられるだけ巻上げノブ１０が回転されたことを検知する回転検知手段を構成する間欠ギヤである一歯ギヤ７３と、この回転検知手段の検知後、フイルムカートリッジ１４の表示板６０が「撮影済み」を表す表示開口６７ｃの背後にある際の巻上げノブ１０の一定の位置を検知して、巻上げノブ１０をロックするロック手段を構成するカム突条１００とが一体に設けられている。カム突条１００は、円環状の突条がカムとして用いられるもので、内壁面１００ａに被係合部であるロック用切欠１０１が形成されている。
【００６５】
タイミングレバー９５は、カートリッジ室２１の上面に略中央付近が揺動自在に取り付けられ、一端にはカム円板８２の外周面８２ａに対面する検知用突起１０３が形成されている。また他端には、捩じりバネ８９の付勢に抗して蓋閉じ部材９６に当接し、蓋閉じ部材９６を遮光蓋５３の開き位置に保持する保持突起１０４が形成されている。更に、この他端側の上面には、カム突条１００の内壁面１００ａに対面する係合部であるロック用突起１０５が形成されている。
【００６６】
図１１に示すように、巻上げノブ１０の所定回転数の回転が終了し、マーク７９ａが巻上げ完了表示窓７の下方に移動すると、検知用切欠８３は検知用突起１０３に対面する。これにより、タイミングレバー９５がわずかに揺動し、ロック用突起１０５がカム突条１００の内壁面１００ａに当接する。この状態で更に巻上げノブ１０が回転されると、その１回転以内でロック用切欠１０１がロック用突起１０５に対面する。このロック用切欠１０１は、フイルムカートリッジ１４の表示板６０が、「撮影済み」を表す表示開口６７ｃの背後にあるとき、すなわちスプール５１の係合穴５１ａの角度がθとなっているときにロック用突起１０５に対面する。
【００６７】
蓋閉じ部材９６は、上面６９に形成された軸受け穴６９ａに回動自在に挿入され、カートリッジ本体１３の遮光蓋５３の係合部５３ａに係合する係合軸９１と、この係合軸９１の上方に一体に形成され、付勢バネ８９が掛けられて遮光蓋５３の閉じ位置に向けて付勢される係止レバー１０７とからなる。この係止レバー１０７は、遮光蓋５３の開き位置にある際に一部分がレール部９３の上方に配置され、遮光蓋５３の閉じ位置に回動した際にはレール部９３の上方を開放するような形状となっている。
【００６８】
係止レバー１０７の上面には、遮光蓋５３の開き位置にあるときにタイミングレバー９５の保持突起１０４に当接する突起１０８が形成されている。この突起１０８が保持突起１０４に当接しているときに、タイミングレバー９５は図中時計方向に付勢されることになるが、タイミングレバー９５の検知用突起１０３はカム円板８２の外周面８２ａに当接して揺動が阻止されているので、蓋閉じ部材９６は遮光蓋５３の開き位置に保持される。
【００６９】
また、係止レバー１０７には、遮光蓋５３の閉じ位置にあるときにタイミングレバー９５の保持突起１０４に当接する突起１０９が形成されている。この突起１０９は、蓋閉じ部材９６が遮光蓋５３の閉じ位置に回動した際に、タイミングレバー９５の保持突起１０４を押圧して検知用突起１０３を確実に検知用切欠８３に係合させる。
【００７０】
連動表示部材９７には、スリット９７ａ，ピン９７ｂが形成されており、レール部９３内に上下方向でスライド自在に組み込まれる際に、スリット９７ａ内にレール部９３内に立設されたピン９３ａが挿入される。そして、ピン９３ａとピン９７ｂとにコイルバネ９８が掛けられて、上方に向かって付勢される。上方に付勢された連動表示部材９７は、蓋閉じ部材９６が遮光蓋５３の開き位置にある際に、上端が蓋閉じ部材９６の係止レバー１０７に当接するので上方へのスライドが阻止される。また、蓋閉じ部材９６が遮光蓋５３の閉じ位置に向けて回動された際には、レール部９３の上方に係止レバー１０７が存在しなくなるので、コイルバネ９８の付勢によって上方にスライドする。
【００７１】
底蓋２４と後カバー１８とで構成されるユニット本体３の下面には、底蓋２４を開放する際に治具等を挿入するための開口１１１が形成されている。連動表示部材９７は、レンズ付きフイルムユニット２の使用時にはこの開口１１１を塞いでおき、底蓋２４を開放する際に開口１１１を開放するためのもので、下端には開口１１１を塞ぐ蓋板１１２が一体に形成されている。なお、符号１１３は、底蓋２４を確実に閉じておくために、前カバー１７に係合する爪部材となっている。
【００７２】
図１２に示すように、蓋閉じ部材９６がタイミングレバー９５によって遮光蓋５３の開き位置に保持されている際には、連動表示部材９７の上端は蓋閉じ部材９６に当接しており、蓋板１１２は底蓋２４の近傍の開口１１１を塞いでいる。そして、図１３に示すように、蓋閉じ部材９６が遮光蓋５３の閉じ位置に回動すると、レール部９３の上方、すなわち連動表示部材９７の上方に蓋閉じ部材９６が存在しなくなるので、連動表示部材９７はコイルバネ９８の付勢によって上方にスライドし、蓋板１１２は開口１１１を開放する。
【００７３】
次に、上記実施形態の作用について説明する。使用前のレンズ付きフイルムユニット２のカートリッジ室２１の上面６９は、図１０に示すように、突起１０８がタイミングレバー９５の保持突起１０４に当接しているので、蓋閉じ部材９６は付勢バネ８９の付勢に抗して遮光蓋５３の開き位置に保持されている。タイミングレバー９５は、付勢バネ８９の付勢によって検知用突起１０３をカム円板８２の外周面８２ａに当接させている。また、連動表示部材９７は、上端が蓋閉じ部材９６の係止レバー１０７に当接しているため、図１２に示すように、開口１１１を塞いでいる。カウンタギヤ７９のマーク７９ａは、全ての写真フイルム１２がカートリッジ本体１３内に巻き上げられた際に、巻上げ完了表示窓７の下方に配置されるように設けられている。
【００７４】
レンズ付きフイルムユニット２の撮影は、ファインダ８によるフレーミングと、シャッタボタン５の押圧によるシャッタレリーズとから行われる。シャッタレリーズが完了すると、それまで回転がロックされていた巻上げノブ１０は回転が自由となる。巻上げノブ１０は図中反時計方向に回転され、下面に形成された一歯ギヤ７３の噛合突起７４が減速ギヤ７８の下ギヤ７８ｂに噛合し、減速ギヤ７８は板バネ８０の噛合に抗して図中時計方向に一歯分歩進される。この減速ギヤ７８の回転は、上ギヤ７８ａによってカウンタギヤ７９に伝達され、カウンタギヤ７９は図中反時計方向に所定角度歩進される。そして、１コマ分の写真フイルム１２がカートリッジ本体１３内に巻き上げられた時点で、巻上げノブ１０は露光ユニット１６のフイルム巻止め機構により再びロックされる。
【００７５】
なお、巻上げノブ１０の回転中に、カム突条１００のロック用切欠１０１がタイミングレバー９５のロック用突起１０５に対面するが、検知用突起１０３がカム円板８２に当接しているのでタイミングレバー９５が揺動することはない。
【００７６】
最後のコマへの撮影が終了すると、露光ユニット１６のフイルム巻止め機構は巻上げノブ１０をロックしなくなる。ユーザーは、包装袋やラベル４の説明にしたがって巻上げノブ１０の回転操作を行う。すると、一歯ギヤ７３，減速ギヤ７８，カウンタギヤ７９を介して図中反時計方向に回転されたカム円板８２は、検知用切欠８３を検知用突起１０３に対面させる。これにより、タイミングレバー９５は僅かに揺動し、ロック用突起１０５をカム突条１００の内壁面１００ａに当接させる。
【００７７】
また、その後の巻上げノブ１０の１回転以内で、ロック用切欠１０１がロック用突起１０５に対面する。これにより、蓋閉じ部材９６の付勢によって、検知用突起１０３とロック用突起１０５とが、検知用切欠８３とロック用切欠１０１とに係合し、巻上げノブ１０の回転をロックする。
【００７８】
タイミングレバー９５の揺動により、蓋閉じ部材９６は遮光蓋５３の開き位置での保持が解除されるので、付勢バネ８９の付勢によって遮光蓋５３の閉じ位置に向けて回動される。遮光蓋５３が閉じ位置に回動すると、この遮光蓋５３に押圧されたロックレバー６２がロック部材５９のロックギヤ５９ａに噛合して、スプール５１をロックする。
【００７９】
また、レール部９３の上方に係止レバー１０７が存在しなくなるので、連動表示部材９７はコイルバネ９８の付勢によって上方にスライドする。図１３に示すように、蓋板１１２も連動表示部材９７と一緒に上方にスライドするので、開口１１１が開放される。この開口１１１の開放により、写真フイルム１２が全てカートリッジ本体１３内に巻き上げられ、遮光蓋５３が閉じられていることを確認できる。また、開口１１１から治具を差し込んで底蓋２４を開放し、カートリッジ室２１からフイルムカートリッジ１４を取り出すことができる。このように、治具の差し込み場所を指定することにより、他の場所に無理やり治具が差し込まれることによる部品の破損を防止することができるので、リサイクル効率も向上する。
【００８０】
取り出されたフイルムカートリッジ１４は、表示板６０が「撮影済み」を表す表示開口６７ｃの背後にあるときにスプール５１が停止されているので、使用状態の表示は確実に「撮影済み」となっている。これにより、ユーザーがフイルムカートリッジ１４を取り出した場合の誤装填が防止される。
【００８１】
また、連動表示部材は、巻上げ完了と遮光蓋の閉鎖の完了との表示以外に、底蓋２４のロック機構としても使用することができる。このロック機構を兼用させた実施形態としては、図１４に示すように、前カバー１７に係合する底蓋２４の爪部材１１３を撓みやすく成形しておき、連動表示部材１１５の蓋部１１５ａが開口１１６を閉じている際には、連動表示部材１１５に一体に形成された突起１１５ｂによって爪部材１１３を押圧し、前カバー１７にしっかりと係合させる。これにより、底蓋２４を無理に開放しようとしても、前カバー１７と爪部材１１３との係合が外れないので、底蓋２４が不用意に開放されることはない。
【００８２】
図１５に示すように、連動表示部材１１５が上方にスライドすると、連動表示部材１１５の蓋部１１５ａが開口１１６を開放するので、この開口１１６から工具を差し込むことができるようになる。また、連動表示部材１１５の突起１１５ｂによる爪部材１１３の押圧が解除されるので、爪部材１１３が簡単に撓んで底蓋２４を容易に開放できるようになる。なお、爪部材１１３を前カバー１７から係合が外れそうな状態で成形し、この状態から爪部材１１３を連動表示部材１１５で押圧して前カバー１７に係合させるようにしても同様の作用，効果を得ることができる。
【００８３】
次に、本発明の第３の実施の形態について説明する。なお、上記各実施形態と同じ部品については同符合を用い、説明を省略する。図１６及び図１７に示すように、本実施形態は第２実施形態とほぼ同様の構成となっているが、蓋閉じ部材１１８の遮光蓋５３の閉じ位置に向けての回動によって、巻上げノブ１０の回転をロックするようにしている。
【００８４】
巻上げノブ１０の下面には、カム突条１２０が一体に形成されており、このカム突条１２０の内壁面１２０ａには、ロック用切欠１２１が形成されている。蓋閉じ部材１１８には、放射状に突出された腕部１２２が設けられており、この腕部１２２の先端には上方に向かってロック用突起１２３が立設されている。また、この腕部１２２には突起１２４が形成されており、この突起１２４は遮光蓋５３の閉じ位置に回動した際にタイミングレバー１２５の保持突起１２６を押圧して、検知用突起１２７と検知用切欠８３との係合を確実にする。
【００８５】
タイミングレバー１２５の揺動により遮光蓋５３の開き位置での保持が解除されると、蓋閉じ部材１１８は遮光蓋５３の閉じ位置に向けて回動する。蓋閉じ部材１１８の腕部１２２のロック用突起１２３は、カム突条１２０の内壁面１２０ａに当接し、その後の巻上げノブ１０の１回転以内でロック用切欠１２１に係合する。このロック用切欠１２１は、フイルムカートリッジ１４の表示板６０が「撮影済み」を表す表示開口６７ｃの背後にあるときに、ロック用突起１２３に係合する位置に形成されているので、本実施形態でも取り出し後のフイルムカートリッジ１４は、確実に撮影済みを表す状態となっている。
【００８６】
次に、本発明の第４の実施の形態について説明する。なお、上記各実施形態と同じ部品については同符合を用い、説明を省略する。図１８及び図１９に示すように、タイミングレバー１３０の近傍に略楔形のロック部材１３１が回動自在に取り付けられている。そして、全ての写真フイルム１２の巻上げ後にこのロック部材１３１を図中時計方向に回動させて、一歯ギヤ７３の外周面７３ａに形成されたロック用切欠１３２に係合させることにより巻上げノブ１０の回転をロックするようにしている。
【００８７】
蓋閉じ部材１３４には、放射状に突出された押圧突起１３５が設けられている。蓋閉じ部材１３４は、タイミングレバー１３０の検知用突起１３０ｂが検知用切欠８３に対面すると、タイミングレバー１３０の保持突起１３０ａを押圧して揺動させ、遮光蓋５３の閉じ位置に向けて回動する。そして、この回動時に押圧突起１３５でロック部材１３１の面１３１ａを押圧する。
【００８８】
ロック部材１３１は、面１３１ａが押圧されると図中時計方向に回動してタイミングレバー１３０を押圧し、更に先端部１３６を一歯ギヤ７３の外周面７３ａに当接させる。これにより、その後の巻上げノブ１０の１回転以内で、ロック用切欠１３２に先端部１３６が係合する。このロック用切欠１３２は、フイルムカートリッジ１４の表示板６０が「撮影済み」を表す表示開口６７ｃの背後にあるときに、ロック部材１３１に係合する位置に形成されているので、本実施形態でも取り出し後のフイルムカートリッジ１４は、確実に撮影済みを表す状態となっている。
【００８９】
【実施例】
上ギヤ７８ａとカウンタギヤ７９との間の減速比は、例えば８／３０としている。下ギヤ７８ｂは、ピッチ円直径Ｄが５．４ｍｍ、モジュールｍが０．３、歯数ｚが「１６」とされている。これによれば、例えば２５枚撮り用の写真フイルム１２を内蔵する場合、巻き込み完了までの巻上げノブ１０の回転量を２９回転とすると、カウンタギヤ７９の回転量は、８／３０×２２．５×２９＝１７４度となる。したがって、カウンタギヤ７９のスタート位置から１７４度ずれた位置にマーク７９ａと検知用切欠８３を設ければよい。
【００９０】
撮影枚数の異なる写真フイルム１２や、フイルムベースの異なる写真フイルム１２を内蔵する場合には、フイルム先端までをカートリッジ本体１３の内部に巻き込むための巻上げノブ１０の回転量が異なる。この場合には、撮影枚数に合わせてマーク７９ａと検知用切欠８３との位置が変えられたカウンタギヤ７９を用いればよく、他の部品はそのまま流用することができる。例えば、４０枚撮り用の写真フイルム１２を内蔵する場合には、巻き込み完了までの巻上げノブ１０の回転量を４５回転とすると、カウンタギヤ７９の回転量が、８／３０×２２．５×４５＝２７０度となるから、カウンタギヤ７９のスタート位置から２７０度ずれた位置にマーク７９ａと検知用切欠８３とが設けられたカウンタギヤ７９を用いればよい。
【００９１】
なお、上記第１の実施形態では、巻上げノブのロックと遮光蓋の閉鎖とを別々に行うようにしているが、その他の実施の形態と同様に連動させることもできる。また、第２〜第４の実施の形態では、蓋閉じ部材の遮光蓋の閉じ位置に向かう回動力を利用して巻上げノブのロックを行っているが、別に設けたバネを用いて巻上げノブのロックを行ってもよい。更に、第２の実施形態にのみ連動表示部材を設けたが、その他の実施の形態にも用いることができる。
【００９２】
また、蓋閉じ部材の閉じ位置への回動に連動して連動表示部材を上方にスライドさせたが、例えば下方にスライドさせてユニット本体の下面から突出させてもよい。更に、タイミングレバーの揺動に連動して連動表示部材を移動させてもよい。また、巻上げ完了後にユニット本体の底面に開口が形成されると、回収時にユニット本体内にゴミが入り込んだり、ユーザーが底蓋を開放したくなる場合も考えられるので、ラベルで開口部分を塞いで開口を外部から見えなくし、現像所では開口部分のラベルを触って開口が形成されているか否かを確認するようにすることもできる。
【００９３】
また、上記各実施の形態では、巻上げノブをロックする係合部と被係合部に、ロック用突起とロック用切欠とを用いたが、突起と突起との組み合わせや、切欠と突起との組み合わせでも同様の効果を得ることができる。更に、係合部，被係合部である突起と切欠とを巻上げノブの円周方向に設けたが、厚み方向で設けることもできる。
【００９４】
また、間欠ギヤである一歯ギヤとカウンタギヤとの間に減速ギヤを設けたが、カウンタギヤの歯数内で全て巻き上げられる枚数の写真フイルムならば、減速ギヤを省くことができる。同様に、必要な歯数を備えたカウンタギヤを組み込むスペースがユニット本体内に得られるならば、減速ギヤを省くことができる。更に、カウンタギヤに巻上げ完了表示用のマークを設け、前カバーにマークを外部表示する表示窓を設けたが、巻上げノブのロックのみで巻上げの完了を確認する場合や、連動表示部材を備えている場合にはこれらを省くことができる。
【００９５】
また、巻込み完了表示や遮光蓋の状態を表示する方法としては、タイミングレバーの揺動状態や、蓋閉じ部材の回動状態をユニット本体の外部から確認できるようにしてもよい。
【００９６】
また、スプールの回転により写真フイルムをカートリッジ本体から送り出すフイルムカートリッジが装填されたレンズ付きフイルムユニットについて説明したが、本発明ではこれに限らず、周知の１３５タイプの写真フイルムパトローネを装填するレンズ付きフイルムユニットにも用いることができる。
【００９７】
【発明の効果】
以上説明したように、本発明のレンズ付きフイルムユニットでは、カートリッジ本体内に写真フイルムを全て巻き上げるために必要な所定回転数の回転が巻上げノブで行われたことを検知する回転検知手段と、この回転検知手段の検知後に、巻上げノブが一定の回転位置に移動してきたことを検知して巻上げノブの回転をロックするロック手段とを設けたので、写真フイルムが巻き上げ済みか否かが容易に判別でき、カートリッジ本体の取出し作業の効率を向上することができる。
【００９８】
また、ロック手段により検知される巻上げノブの一定の位置を、カートリッジ本体の表示板が撮影済みを表す表示開口の背後にある際の巻上げノブの位置としたので、ユーザーがフイルムカートリッジを取り出した場合でも、必ず取り出されたフイルムカートリッジは撮影済みを表す状態となっており、未使用品と誤ってカメラ等に誤装填するのを防止できる。
【００９９】
更に、上記回転検知手段とロック手段は、数点の部品の増設と、従来部品の形状変更とによって構成できるので、低コストに実施することができる。また、バネ部材として蓋閉じ部材を用いるようにしたので、別途にタイミングレバーを付勢するバネを減らすことができ、巻上げノブのロックに連動して遮光蓋を閉じることもできる。
【０１００】
更に、蓋閉じ部材の回動に連動して、カートリッジ本体へのフイルム巻上げと、遮光蓋の閉鎖とが終了したことを外部に表示する外部表示手段を設けたので、フイルム巻上げの終了と遮光蓋の閉鎖とが完了しているか否かが、巻上げノブを操作しなくても判別できる。また、この外部表示によってカートリッジ本体を取り出すために工具を差し込む開口を形成するようにしたので、カートリッジ本体の取り出し方法が明確になり、他の部分から無理にカートリッジ本体が取り出されることがなくなるので、回収後のリユース得率も向上する。
【図面の簡単な説明】
【図１】第１の実施形態の回転検知手段及びロック手段の構成を示す分解斜視図である。
【図２】本発明を実施したレンズ付きフイルムユニットの外観を示す斜視図である。
【図３】ユニット本体の構成を示す分解斜視図である。
【図４】露光ユニットの構成を示す分解斜視図である。
【図５】フイルムカートリッジの構成を示す分解斜視図である。
【図６】フイルムカートリッジの一方の端面を示す側面図である。
【図７】第１の実施形態の回転検知手段及びロック手段の未作動時の状態を示す平面図である。
【図８】第１の実施形態の回転検知手段及びロック手段の作動時の状態を示す平面図である。
【図９】第２の実施形態の回転検知手段及びロック手段の構成を示す分解斜視図である。
【図１０】第２の実施形態の回転検知手段及びロック手段の未作動時の状態を示す平面図である。
【図１１】第２の実施形態の回転検知手段及びロック手段の作動時の状態を示す平面図である。
【図１２】第２の実施形態の外部表示手段の未作動時の状態を示す斜視図である。
【図１３】第２の実施形態の外部表示手段の作動時の状態を示す斜視図である。
【図１４】別の実施形態の外部表示手段の未作動時の状態を示す要部断面図である。
【図１５】別の実施形態の外部表示手段の作動時の状態を示す要部断面図である。
【図１６】第３の実施形態の回転検知手段及びロック手段の未作動時の状態を示す平面図である。
【図１７】第３の実施形態の回転検知手段及びロック手段の作動時の状態を示す平面図である。
【図１８】第４の実施形態の回転検知手段及びロック手段の未作動時の状態を示す平面図である。
【図１９】第４の実施形態の回転検知手段及びロック手段の作動時の状態を示す平面図である。
【符号の説明】
２  レンズ付きフイルムユニット
３  ユニット本体
７  巻上げ完了表示窓
１０  巻上げノブ
１２  写真フイルム
１３  カートリッジ本体
１４  フイルムカートリッジ
１６  露光ユニット
５１  スプール
５３  遮光蓋
６０  表示板
６７ａ〜６７ｄ  表示開口
７３  一歯ギヤ
７８  減速ギヤ
７９  カウンタギヤ
８２  カム円板
８４，９５，１２５，１３０  タイミングレバー
８８，９６，１１８，１３４  蓋閉じ部材
９７，１１５  連動表示部材
１００，１２０  カム突条
１１１，１１６  開口
１３１  ロック部材
【図１】
0003668338.tif 000002
【図２】
0003668338.tif 000003
【図３】
0003668338.tif 000004
【図４】
0003668338.tif 000005
【図５】
0003668338.tif 000006
【図６】
0003668338.tif 000007
【図７】
0003668338.tif 000008
【図８】
0003668338.tif 000009
【図９】
0003668338.tif 000010
【図１０】
0003668338.tif 000011
【図１１】
0003668338.tif 000012
【図１２】
0003668338.tif 000013
【図１３】
0003668338.tif 000014
【図１４】
0003668338.tif 000015
【図１５】
0003668338.tif 000016
【図１６】
0003668338.tif 000017
【図１７】
0003668338.tif 000018
【図１８】
0003668338.tif 000019
【図１９】
0003668338.tif 000020